(57)【要約】【課題】ナースコール子機による呼び出しに対して複数の携帯端末を呼び出す場合に、できるだけ平常状態の医療従事者を呼び出すようにすることを目的とする。【解決手段】ナースコール子機１からの呼び出しに対して携帯端末３０を呼び出す順番をナースコール親機１０の記憶部１４に予め記憶しておき、携帯端末３０を携行する医療従事者の脈拍数を脈拍センサ４０により測定して、その数が所定の数以上となった場合に、その携帯端末３０の呼び出しの順番を遅延させる。これにより、脈拍数が所定の数未満となっている医療従事者の携帯端末３０を優先して呼び出すことができる。従って、平常な状態ではない医療従事者に対する呼び出しを遅延させることができ、平常状態の医療従事者が優先して呼び出されるので、呼び出しに応答して患者に対応した医療従事者が医療事故を起こす可能性を低くすることができる。【選択図】図１
2009082252.tif 000002
【特許請求の範囲】
【請求項１】
医療従事者を呼び出すために呼出信号を生成する呼出信号生成部と、前記呼出信号を送信する子機用送信部とを有するナースコール子機と、
前記医療従事者の単位時間あたりの脈拍数を計測する脈拍センサと、
前記ナースコール子機からの呼び出しを報知する報知部と、前記脈拍数を示す脈拍情報を前記脈拍センサから受信する携帯端末用受信部と、前記脈拍情報を送信するとともに、前記ナースコール子機からの呼び出しを着呼信号として受信する携帯端末用送受信部と、前記携帯端末用送受信部が前記着呼信号を受信することにより前記報知部を動作させる携帯端末用制御部とを有し、前記医療従事者により携行される携帯端末と、
前記ナースコール子機から送信された呼出信号および前記携帯端末から送信された前記脈拍情報を受信する親機用受信部と、前記ナースコール子機に対応して呼び出される複数の携帯端末を呼び出す順番を示す情報を記憶する記憶部と、前記順番を示す情報を前記記憶部から読み出して前記複数の携帯端末を前記順番に従って呼び出すために前記着呼信号を生成するとともに、前記親機用受信部が受信した前記脈拍情報による前記脈拍数が所定の数以上である場合に、その携帯端末を呼び出す順番を遅延させる親機用制御部と、前記着呼信号を前記携帯端末に送信する親機用送信部とを有するナースコール親機と、
を備えたナースコールシステム。
【請求項２】
医療従事者を呼び出すために呼出信号を生成する呼出信号生成部と、前記呼出信号を送信する子機用送信部とを有するナースコール子機と、
前記医療従事者の単位時間あたりの脈拍数を計測する脈拍センサと、
前記ナースコール子機からの呼び出しを報知する報知部と、前記脈拍数を示す脈拍情報を前記脈拍センサから受信する携帯端末用受信部と、前記脈拍情報を送信するとともに、前記ナースコール子機からの呼び出しを着呼信号として受信する携帯端末用送受信部と、前記携帯端末用送受信部が前記着呼信号を受信することにより前記報知部を動作させる携帯端末用制御部とを有し、前記医療従事者により携行される携帯端末と、
前記ナースコール子機から送信された呼出信号および前記携帯端末から送信された前記脈拍情報を受信する親機用受信部と、前記ナースコール子機に対応して呼び出される複数の携帯端末を示す情報を記憶する記憶部と、前記複数の端末を示す情報を前記記憶部から読み出して前記複数の携帯端末を一斉に呼び出すために前記着呼信号を生成するとともに、前記親機用受信部が受信した前記脈拍情報による前記脈拍数が所定の数以上である場合に、その携帯端末への呼び出しを遅延させる親機用制御部と、前記着呼信号を前記携帯端末に送信する親機用送信部とを有するナースコール親機と、
を備えたナースコールシステム。
【請求項３】
医療従事者を呼び出すために呼出信号を生成する呼出信号生成部と、前記呼出信号を送信する子機用送信部とを有するナースコール子機と、
前記医療従事者の単位時間あたりの脈拍数を計測する脈拍センサと、
前記ナースコール子機からの呼び出しを報知する報知部と、前記脈拍数を示す脈拍情報を前記脈拍センサから受信する携帯端末用受信部と、前記脈拍情報を送信するとともに、前記ナースコール子機からの呼び出しを着呼信号として受信する携帯端末用送受信部と、前記携帯端末用送受信部が前記着呼信号を受信することにより前記報知部を動作させる携帯端末用制御部とを有し、前記医療従事者により携行される携帯端末と、
前記ナースコール子機から送信された呼出信号および前記携帯端末から送信された前記脈拍情報を受信する親機用受信部と、前記ナースコール子機に対応して呼び出される複数の携帯端末を呼び出す順番を示す情報を記憶する記憶部と、前記順番を示す情報を前記記憶部から読み出して前記複数の携帯端末を前記順番に従って呼び出すために前記着呼信号を生成するとともに、前記親機用受信部が受信した前記脈拍情報による前記脈拍数が所定の数以上である場合に、その携帯端末への呼び出しを停止させる親機用制御部と、前記着呼信号を前記携帯端末に送信する親機用送信部とを有するナースコール親機と、
を備えたナースコールシステム。
【請求項４】
医療従事者を呼び出すために呼出信号を生成する呼出信号生成部と、前記呼出信号を送信する子機用送信部とを有するナースコール子機と、
前記医療従事者の単位時間あたりの脈拍数を計測する脈拍センサと、
前記ナースコール子機からの呼び出しを報知する報知部と、前記脈拍数を示す脈拍情報を前記脈拍センサから受信する携帯端末用受信部と、前記脈拍情報を送信するとともに、前記ナースコール子機からの呼び出しを着呼信号として受信する携帯端末用送受信部と、前記携帯端末用送受信部が前記着呼信号を受信することにより前記報知部を動作させる携帯端末用制御部とを有し、前記医療従事者により携行される携帯端末と、
前記ナースコール子機から送信された呼出信号および前記携帯端末から送信された前記脈拍情報を受信する親機用受信部と、前記ナースコール子機に対応して呼び出される複数の携帯端末を示す情報を記憶する記憶部と、前記複数の端末を示す情報を前記記憶部から読み出して前記複数の携帯端末を一斉に呼び出すために前記着呼信号を生成するとともに、前記親機用受信部が受信した前記脈拍情報による前記脈拍数が所定の数以上である場合に、その携帯端末への呼び出しを停止させる親機用制御部と、前記着呼信号を前記携帯端末に送信する親機用送信部とを有するナースコール親機と、
を備えたナースコールシステム。
【発明の詳細な説明】
【技術分野】
【０００１】
本発明は、ナースコールシステムに関し、特に、患者別に設置されるナースコール子機からの呼び出しに対して、携帯端末で応答通話できるように成されたナースコールシステムに用いて好適なものである。
【背景技術】
【０００２】
一般に、病院や介護施設などでは、ナースコールシステムが用いられている。ナースコールシステムは、病院の患者が医師または看護師のサポートを必要とする際、または介護施設の被介護者が介護師のサポートを必要とする際に、患者や被介護者（以下、患者と記載する）が呼出ボタン等を押下することによって医者、看護師または介護師（以下、医療従事者と記載する）を呼び出すことができるように成されたシステムである。
【０００３】
多くのナースコールシステムは、ベッドサイドやトイレ、浴室などに設置されるナースコール子機と、ナースセンタに設置されるナースコール親機とを備えて構成されている。さらに、医療従事者が携帯するＰＨＳ（Ｐｅｒｓｏｎａｌ  Ｈａｎｄｙｐｈｏｎｅ  Ｓｙｓｔｅｍ）端末とＰＢＸ（Ｐｒｉｖａｔｅ  Ｂｒａｎｃｈ  Ｅｘｃｈａｎｇｅ：電話交換機）とを組み合わせたナースコールシステムも提案されている（例えば、特許文献１を参照）。
【特許文献１】特開平５−２５９９７４号公報
【０００４】
この種のナースコールシステムにおいて、患者がナースコール子機の呼出ボタンを押下して呼び出しを行うと、医療従事者は、自身が携帯するＰＨＳ端末や、ナースコール親機のハンドセット等によって応答する。なお、ＰＨＳ端末とそれを所持する医療従事者とを関連付けたテーブル情報が、ナースコール親機のメモリに記憶されている。つまり、ＰＨＳ端末とそれを所持する医療従事者とは１対１に対応しているので、患者からの呼び出しに対してＰＨＳ端末で応答した医療従事者をナースコール親機に応答履歴として記録することが可能である。
【０００５】
ところで、上述したようなナースコールシステムでは、１人の患者に対して担当の医療従事者が決められていて、その関係がナースコール親機のテーブル情報により管理されている。そして、ある患者のナースコール子機から呼び出しが行われると、テーブル情報を参照して担当の医療従事者が特定され、担当の医療従事者のＰＨＳ端末に対して報知が行われる。そのため、患者からの呼び出しがあった場合、その呼び出し対象のＰＨＳ端末を所持している医療従事者が不在等であると、医療従事者が呼び出しに対して応答することができない。
【０００６】
ただし、このような場合でも、ナースコール親機にも同時に報知が行われているので、呼び出しを行っている患者の担当でない医療従事者が、ナースコール親機に設けられたハンドセットにてナースコール子機からの呼び出しに応答することができる。また、呼び出し対象のＰＨＳ端末を複数設定したり、呼び出し対象に設定した複数のＰＨＳ端末を順番に呼び出したりすることで、担当の医療従事者が不在等である場合でも、ナースコール子機からの呼び出しに応答する技術が知られている（例えば、特許文献２を参照）。
【特許文献２】特開２００１−１２７８９２号公報
【０００７】
しかしながら、前述した特許文献２に記載の技術では、患者からの呼び出しに対応したばかりの医療従事者や業務中で手が離せない状態の医療従事者に対しても呼び出しを報知してしまうので、医療従事者にストレスを与えてしまうという問題があった。また、体調が悪かったり、業務が集中して焦ったりしているような平常な状態ではない医療従事者に対しても呼び出しを報知してしまうので、この呼び出しに応答して患者に対応した医療従事者が医療事故を起こす可能性を高くしてしまうというという問題があった。
【発明の開示】
【発明が解決しようとする課題】
【０００８】
本発明は、このような問題を解決するために成されたものであり、ナースコール子機による呼び出しが行われて、そのナースコール子機を使用した患者を担当する複数の医療従事者がそれぞれ携帯する携帯端末を呼び出すときに、できるだけ平常状態の医療従事者を呼び出すようにすることを目的とする。
【課題を解決するための手段】
【０００９】
上記した課題を解決するために、本発明では、ナースコール子機からの呼び出しに対して呼び出す携帯端末および／または携帯端末を呼び出す順番をナースコール親機にて予め設定しておき、携帯端末を携行する医療従事者の脈拍数を脈拍センサにより測定して、その数が所定の数以上となった場合に、その携帯端末への呼び出しを遅延させるようにしている。
【００１０】
また、本発明の他の態様によれば、ナースコール子機からの呼び出しに対して呼び出す携帯端末および／または携帯端末を呼び出す順番をナースコール親機にて予め設定しておき、携帯端末を携行する医療従事者の脈拍数を脈拍センサにより測定して、その数が所定の数以上となった場合に、その携帯端末への呼び出しを停止させるようにしている。
【発明の効果】
【００１１】
上記のように構成した本発明によれば、脈拍数が所定の数以上となった医療従事者が携行する携帯端末への呼び出しが遅延させられるので、脈拍数が所定の数未満となっている医療従事者が携行する携帯端末を優先して呼び出すことができる。これにより、体調が悪かったり、業務が集中して焦ったりしているような平常な状態ではない医療従事者に対する呼び出しを遅延させることができ、平常状態の医療従事者が優先して呼び出されるので、呼び出しに応答して患者に対応した医療従事者が医療事故を起こす可能性を低くすることができる。
【００１２】
また、本発明の他の態様によれば、脈拍数が所定の数以上となった医療従事者が携行する携帯端末への呼び出しが停止させられるので、脈拍数が所定の数未満となっている医療従事者が携行する携帯端末のみを呼び出すことができる。これにより、体調が悪かったり、業務が集中して焦ったりしているような平常な状態ではない医療従事者に対する呼び出しを停止させることができ、平常状態の医療従事者が呼び出されるので、呼び出しに応答して患者に対応した医療従事者が医療事故を起こす可能性を低くすることができる。
【発明を実施するための最良の形態】
【００１３】
以下、本発明の一実施形態を図面に基づいて説明する。図１は、本実施形態によるナースコールシステムの構成例を示すブロック図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１４】
図１に示すように、本実施形態によるナースコールシステムは、各病室の各ベッドサイドに設置されるナースコール子機１と、ナースセンタに設置されてセンタ装置として機能するナースコール親機１０とを備える。ここで、ナースコール子機１とナースコール親機１０との間は、それぞれ通信線路を介して接続される。また、ナースコール子機１とナースコール親機１０との間には、ナースコール子機１からの呼び出しを報知したり、病室内の患者の氏名などを表示したりする図示しない廊下灯が接続されている。
【００１５】
また、本実施形態によるナースコールシステムは、他の標準的な構成要素として、例えば、病院内の通信センタなどに設置される携帯端末用主装置２０、図示しないＰＢＸ、図示しない公衆網、無線装置２１を備えている。
【００１６】
携帯端末用主装置２０には複数の無線装置２１が接続されている。また、ＰＢＸは、公衆網に接続されている。携帯端末用主装置２０は、例えば構内ＰＨＳ対応の交換装置からなるもので、内部制御部やタイムスイッチの他に、複数の内線と、局線と、保守とを備える。ここで、携帯端末用主装置２０の内線にはそれぞれ無線装置２１の図示しない無線基地局が接続されている。
【００１７】
複数の無線装置２１は、それぞれ無線エリアを形成し、この無線エリア内に存在する携帯端末３０との間で無線回線を介して接続されている。また、携帯端末用主装置２０の局線には構内交換機が接続されている。携帯端末３０は、医療従事者によって携行されるものであり、ナースコール子機１との間で応答通話を行うためのものである。また、携帯端末３０は、病院内に複数存在しており、携行している医療従事者を識別可能としている。
【００１８】
脈拍センサ４０は、携帯端末３０と同様に医療従事者により携行されるものであり、携行している医療従事者の単位時間（例えば、１分など）あたりの脈拍数を測定するものである。ここで、脈拍センサ４０は、腕時計のような形状をしており、医療従事者の腕に装着されることにより医療従事者の脈拍を測定する。また、脈拍センサ４０は、医療従事者の単位時間あたりの脈拍数を示す脈拍情報を携帯端末３０に送信する図示しない脈拍情報送信部を備えている。
【００１９】
ナースコール子機１は、子機用制御部（特許請求の範囲の呼出信号生成部に該当する）２、呼び出し操作部３、子機用インターフェース４、子機用送信部５を備えて構成されている。子機用制御部３は、ナースコール子機１の各構成要素を後述するように制御する。呼び出し操作部３は、患者が医療従事者を呼び出す際に操作されるもので、一般的にボタン状を成している。子機用操作部３が操作されると、子機用制御部２は、呼出信号を生成する。
【００２０】
子機用インターフェース４は、ナースコール子機１とナースコール親機１０とを接続し、相互に通信を行うためのものである。子機用送信部５は、子機用制御部２により生成された呼出信号を、子機用インターフェース４を介してナースコール親機１０へ送信する。ここで、ナースコール子機１には、患者が呼び出されたときに応答するための図示しない復旧ボタン、患者が看護師と会話を行う際に使用する図示しないマイクとスピーカなどを備えている。
【００２１】
ナースコール親機１０は、親機用制御部１１、親機用インターフェース１２、親機用受信部１３、記憶部１４、親機用送信部１５を備えて構成されている。親機用制御部１１は、ナースコール親機１０の各構成要素を後述するように制御する。親機用インターフェース１２は、ナースコール親機１０とナースコール子機１とを接続し、相互に通信を行うためのものである。また、親機用インターフェース１２は、ナースコール親機１０と携帯端末用主装置２０とを接続し、相互に通信を行う。
【００２２】
親機用受信部１３は、ナースコール子機１から送信された呼出信号を、親機用インターフェース１２を介して受信する。親機用制御部１１は、親機用受信部１３が受信した呼出信号を解析して、呼び出しを行ったナースコール子機１を特定する。ここで、親機用制御部１１が呼び出しを行ったナースコール子機１を特定する技術は、周知の技術を用いて行われる。また、ナースコール子機１とナースコール親機１０との間で音声による通話が行われる場合や、ナースコール子機１と携帯端末３０との間で音声による通話が行われる場合には、親機用受信部１３は、ナースコール子機１から送信される音声信号や携帯端末３０から送信される音声信号を受信する。また、親機用受信部１３は、後述する脈拍情報を携帯端末３０から受信する。
【００２３】
記憶部１４は、本実施形態によるナースコールシステムの呼出テーブルを記憶している。この呼出テーブルは、患者名などの患者を識別するための患者識別情報と、その患者を担当する複数の医療従事者を識別するための医療従事者識別情報（例えば、医療従事者の氏名など）とを関連付けたものである。ここで、呼出テーブルは、患者を担当する複数の医療従事者を、より優先度の高いものから順番に順位を付けている（図２（ａ）参照）。また、呼出テーブルは、各医療従事者に対して、その医療従事者が平常状態では無いと考えられる単位時間あたりの脈拍数の上限値を関連付けている。
【００２４】
ここで、親機用制御部１１は、呼び出しを行ったナースコール子機１が特定するので、そのナースコール子機１が設置されているベッド番号などにより患者名などの患者識別情報を特定する。このように、親機用受信部１３が受信した呼出信号によって呼び出しを行った患者名が特定される。また、特定された患者名によって、その患者を担当する医療従事者や医療従事者を呼び出す順番、医療従事者の脈拍数の上限値が特定される。
【００２５】
図２（ａ）に示すように、例えば、患者名「○○  ○○」を担当する医療従事者は、Ａ、Ｂ、Ｃ、Ｄの４名であり、医療従事者Ａは呼び出す順番を一番目、医療従事者Ｂは呼び出す順番を二番目、医療従事者Ｃは呼び出す順番を三番目、医療従事者Ｄは呼び出す順番を四番目としている。また、医療従事者Ａの脈拍数の上限値は８０、医療従事者Ｂの脈拍数の上限値は９０、医療従事者Ｃの脈拍数の上限値は８５、医療従事者Ｄの脈拍数の上限値は８０としている。なお、本実施形態では、各医療従事者Ａ〜Ｄの脈拍数の上限値をそれぞれ設定しているが、例えば、各医療従事者Ａ〜Ｄに対して脈拍数の上限値を一つのみ設定し、それを各医療従事者Ａ〜Ｄに対して共通に用いるようにしても良い。
【００２６】
親機用制御部１１は、呼び出しを行った患者を担当する医療従事者が携行する携帯端末に対する着呼信号を生成する。親機用送信部１５は、親機用制御部１１にて生成された着呼信号を送信する。ここで、着呼信号は、呼び出す携帯端末を特定する着番号情報を含む。また、親機用制御部１１が着呼信号を生成する順番、または、親機用送信部１５が着呼信号を送信する順番は、前述した呼出テーブルに従って決まっている。また、親機用制御部１１は、所定の間隔（例えば５秒など）を持って着呼信号を生成する。なお、親機用制御部１１にて着呼信号を生成する間隔を持たせずに、親機用送信部１５が着呼信号を送信する間隔を持たせるようにしても良い。ここで、着呼信号に対して携帯端末３０が応答した場合には、親機用制御部１１にて着呼信号の生成を終了するか、親機用送信部１５にて着呼信号の送信を終了する。
【００２７】
例えば、図２（ａ）に示すような呼出テーブルを用いた場合、親機用制御部１１は、まず、医療従事者Ａが携行する携帯端末３０の着番号情報を抽出して着呼信号を生成する。そして、親機用送信部１５は着呼信号を送信する。このまま、医療従事者Ａが携帯端末３０にて応答せずに５秒経過すると、親機用制御部１１は、医療従事者Ｂが携行する携帯端末３０の着番号情報を抽出して着呼信号を生成する。そして、親機用送信部１５は着呼信号を送信する。同様に、医療従事者Ｂが携帯端末３０にて応答せずに５秒経過すると、親機用制御部１１は、医療従事者Ｃが携行する携帯端末３０の着番号情報を抽出して着呼信号を生成する。そして、親機用送信部１５は着呼信号を送信する。更に、医療従事者Ｃが携帯端末３０にて応答せずに５秒経過すると、親機用制御部１１は、医療従事者Ｄが携行する携帯端末３０の着番号情報を抽出して着呼信号を生成する。そして、親機用送信部１５は着呼信号を送信する。携帯端末用主装置２０は、ナースコール親機１０から送信された着呼信号を受信し、各無線エリアに配置されている無線装置２１を介して携帯端末３０に送信する。
【００２８】
携帯端末３０は、携帯端末用制御部３１、携帯端末用受信部３２、携帯端末用送受信部３３、報知部３４を備えて構成されている。携帯端末用制御部３１は、携帯端末３０の各構成要素を後述するように制御する。携帯端末用受信部３２は、脈拍センサ４０から送信された脈拍情報を受信する。このとき、携帯端末用制御部３１は、携帯端末用受信部３２が受信した脈拍情報に自身の携帯端末３０の識別情報を付加する。携帯端末用送受信部３３は、無線装置２１から送信された着呼信号を受信するとともに、携帯端末用受信部３２が受信し携帯端末用制御部３１により識別情報が付加された脈拍情報を外部に送信する。
【００２９】
ここで、携帯端末用送受信部３３が着呼信号を受信した場合に、携帯端末用制御部３１は、着呼信号に含まれる着番号が自身の携帯端末３０の着番号と一致するか否かを調べ、一致した場合には、着呼信号の対象が自身の携帯端末３０であると判断する。報知部３４は、着呼信号の対象が自身の携帯端末３０であると携帯端末用制御部３１にて判断した場合に、呼び出しを報知するためのものである。報知部３４による呼び出しの報知は、周知の技術であるため、説明を省略する。
【００３０】
一方、携帯端末３０から送信された脈拍情報は、無線装置２１にて受信される。ここで、携帯端末用送受信部３３は脈拍情報を定期的に送信している。無線装置２１にて受信された脈拍情報は、携帯端末用主装置２０を介して親機用受信部１３にて受信される。
【００３１】
親機用制御部１１は、親機用受信部１３が受信した脈拍情報を解析して、脈拍情報を送信した携帯端末３０を特定する。携帯端末３０が特定されると、親機用制御部１１は、携帯端末３０を携行している医療従事者を特定する。次に、親機用制御部１１は、記憶部１４に記憶されている呼出テーブルを参照して、脈拍情報により特定された医療従事者の単位時間あたりの脈拍数の上限値と、脈拍情報に含まれる脈拍数とを比較する。脈拍情報に含まれる脈拍数が上限値未満である場合、親機用制御部１１は、処理を終了する。一方、脈拍情報に含まれる脈拍数が上限値以上である場合、親機用制御部１１は、呼出テーブルにて設定されている医療従事者を呼び出す順番を変更する。
【００３２】
具体的には、携帯端末３０を携行する医療従事者Ａの脈拍数が８０以上となった場合に、脈拍情報には８０以上の数値が脈拍数として含まれているので、親機用制御部１１は、呼出テーブルの呼び出す順番が一番目である医療従事者Ａの脈拍数が上限値を超えたと判断し、医療従事者Ａを呼び出す順番を４番目に遅延させる（図２（ｂ）参照）。親機用制御部１１は、このように更新された呼出テーブルに従って着呼信号を生成する（または、親機用送信部１５は、更新された呼出テーブルに従って着呼信号を送信する）。このように、脈拍数が上限値以上となった医療従事者を呼び出す順番は、遅延させられる。
【００３３】
以上詳しく説明したように、本実施形態では、ナースコール子機１からの呼び出しに対して携帯端末３０を呼び出す順番をナースコール親機１０の記憶部１４に予め記憶しておき、携帯端末３０を携行する医療従事者の脈拍数を脈拍センサ４０により測定して、その数が所定の数以上となった場合に、その携帯端末３０への呼び出しの順番を遅延させるようにしている。これにより、脈拍数が所定の数未満となっている医療従事者が携行する携帯端末３０を優先して呼び出すことができる。従って、体調が悪かったり、業務が集中して焦ったりしているような平常な状態ではない医療従事者に対する呼び出しを遅延させることができ、平常状態の医療従事者が優先して呼び出されるので、呼び出しに応答して患者に対応した医療従事者が医療事故を起こす可能性を低くすることができる。
【００３４】
なお、本実施形態では、医療従事者を呼び出す順番を示す情報を記憶部１４に記憶しておき、ナースコール親機１０は、その順番に従って医療従事者を呼び出すようにしているが、これに限定されない。例えば、呼び出す複数の医療従事者を示す情報を記憶部１４に記憶しておき、ナースコール親機１０は、それらの医療従事者の全てを一斉に呼び出すようにしても良い。ここで、親機用制御部１１は、脈拍数が所定の数以上となった医療従事者に対する呼び出しを遅延させるようにしている。
【００３５】
また、本実施形態では、親機用制御部１１は、脈拍数が所定の数以上となった医療従事者に対する呼び出しを遅延させるようにしているが、これに限定されない。例えば、親機用制御部１１は、脈拍数が所定の数以上となった医療従事者に対する呼び出しを停止させるようにしても良い。これにより、医療従事者の脈拍数が所定の数未満となり、平常状態となるまで、呼び出しが行われなくなるので、医療従事者に対する負担を軽減することができる。
【００３６】
また、本実施形態では、親機用制御部１１にて脈拍数が所定の数以上となった医療従事者に対する呼び出しを遅延させるようにしているが、これに限定されない。例えば、着呼信号を受信した携帯端末３０にて報知部３４を動作させるタイミングを遅延させるようにしても良い。同様に、着呼信号を受信した携帯端末３０にて報知部３４を動作させないようにしても良い。
【００３７】
このような場合において、携帯端末３０からナースコール親機１０へ脈拍情報を送信せずに、携帯端末３０にて報知部３４の動作を遅延させるか否かを判定するようにしても良い。
【００３８】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３９】
【図１】本実施形態によるナースコールシステムの構成例を示すブロック図である。
【図２】本実施形態によるナースコールシステムの呼出テーブルの例を示す図である。
【符号の説明】
【００４０】
１    ナースコール子機
２    子機用制御部
３    呼び出し操作部
４    子機用インターフェース
５    子機用送信部
１０    ナースコール親機
１１    親機用制御部
１２    親機用インターフェース
１３    親機用受信部
１４    記憶部
１５    親機用送信部
２０    携帯端末用主装置
２１    無線装置
３０    携帯端末
３１    携帯端末用制御部
３２    携帯端末用受信部
３３    携帯端末用送受信部
３４    報知部
４０    脈拍センサ
【図１】
2009082252.tif 000003
【図２】
2009082252.tif 000004